(57)【要約】【課題】押圧ヘッドを回転させてリングキャップとの係合を解除して該押圧ヘッドを上昇姿勢に保持する場合に懸念されたポンプシリンダーの供回りを回避できるポンプ式液体吐出器を提案する。【解決手段】容器本体１の口頚部１ａの外周に係合可能なベースキャップ２と、該口頚部１ａを通して容器本体１の内側に吊り下げられ該ベースキャップ２にて該口頚部１ａに固定保持されるポンプ３と、該ポンプ３の中空ステム３ｃにつながり該中空ステム３ｃを繰り返し上下動させることにより該ポンプ３を作動させて容器本体１内の内容物を吐出させる押圧ヘッド５とを備えたポンプ式液体吐出器において、ポンプ３のシリンダー３ａの外周壁に、該容器本体１の口頚部１ａの内周壁に先端部を当接させて該シリンダー３ａの、時計周りおよび反時計周りの少なくとも一方向への回転を防止する１枚若しくは複数枚の回転防止片８を設ける。【選択図】図２
2015085989.tif 000002
【特許請求の範囲】
【請求項１】
容器本体の口頚部外周に係合可能なベースキャップと、該口頚部を通して容器本体の内側に吊り下げられ該ベースキャップにて該口頚部に固定保持されるポンプと、該ポンプの中空ステムにつながり該中空ステムを繰り返し上下動させることにより該ポンプを作動させて容器本体内の内容物を吐出させる押圧ヘッドとを備えたポンプ式液体吐出器であって、
前記ポンプは、シリンダーの外周壁に、該容器本体の口頚部の内周壁に先端部を当接させて該シリンダーの、時計周りおよび反時計周りの少なくとも一方向への回転を防止する１枚若しくは複数枚の回転防止片を有することを特徴とするポンプ式液体吐出器。
【請求項２】
前記ポンプは、外周壁にねじ部が形成され、かつシリンダーの上端部に回動不能、かつ引き抜け不能に連結するリングキャップを有し、前記押圧ヘッドは、該リングキャップのねじ部に係合して該押圧ヘッドの下降姿勢をそのまま維持するねじ部を有することを特徴とする請求項１に記載したポンプ式液体吐出器。
【請求項３】
前記回転防止片は、前記口頚部の内周壁に弾性的に接触してその相互間の摩擦抵抗を増大させる弾性体からなることを特徴とする請求項１または２に記載したポンプ式液体吐出器。
【請求項４】
前記回転防止片は、前記シリンダーの外周壁から前記口頚部の内周壁に至るまでの間に形成される隙間よりも大きな張出長さを有し、該シリンダーの外周壁の周りに沿う倒れ込み姿勢を維持してその先端部が該口頚部の内周壁に接触するものであることを特徴とする請求項１〜３のいずれか１に記載したポンプ式液体吐出器。
【請求項５】
前記口頚部の内周壁に、前記回転防止片の先端が嵌り込む溝または、該回転防止片の先端が当接する突起を形成してなることを特徴とする請求項１〜４のいずれ１に記載したポンプ式液体吐出器。
【発明の詳細な説明】
【技術分野】
【０００１】
本発明は、押圧ヘッドを繰り返し上下動させ、その押圧ヘッドにつながる中空ステムを通してポンプを作動させることによって容器本体内の内容物を吐出させるポンプ式液体吐出器に関するものである。
【背景技術】
【０００２】
押圧ヘッドを上下動させることによってポンプを作動させ、容器内の内容物を吐出する、吐出器は、容器本体内の内容物を必要に応じて適量取り出すことが可能で、シャンプーやリンス、整髪料、化粧料等の内容物を入れる据え置きタイプの大型容器に多用されている。
【０００３】
この種の吐出器は、商品の流通過程で押圧ヘッドの不用意な押込みによる内容物の流出を防止する観点から、押圧ヘッドを予め下降状態（押し込み状態）に保持すべく、ポンプのシリンダー上端部にポンプを固定するベースキャップとは別個にリングキャップ（補助キャップ等）を設け、このリングキャップに押圧ヘッドをねじ止め固定しておく一方、使用開始に当たっては、押圧ヘッドを回転（例えば、反時計周りの回転）させてリングキャップとの係合を解除することによって上昇姿勢（使用可能状態）に保持するものが存在しており、この点に関する先行技術しては、例えば、特許文献１に開示されているような液体注出ポンプが知られている。
【先行技術文献】
【特許文献】
【０００４】
【特許文献１】特開平９―１２０５０号公報
【発明の開示】
【発明が解決しようとする課題】
【０００５】
ところで、上記の構造からなる従来の吐出器にあっては、押圧ヘッドを回転させてリングキャップとの係合を解除しようとする場合に、ポンプのシリンダーが押圧ヘッドとともに回転してしまう供回りを起こすことがあり、押圧ヘッドを使用可能な状態とするためにリングキャップから螺脱（ねじによる係合の解除）させることが困難となる不具合を有している。
【０００６】
このような供回りは、吐出器を構成する部材の使用原料を削減して吐出器自体の計量化を図る場合にとくに顕著であって未だ改善の余地が残されているのが現状である。なお、ポンプのシリンダーが供回りを起こす原因は、吐出器を構成する部材の使用原料を削減することによる薄肉化等により部材そのものが変形しやすくなり、ポンプのシリンダーを固定する強度が十分でなくなることが考えられる。
【０００７】
本発明の課題は、吐出器を構成する部材の使用原料を削減して資源の有効活用を図るべく容器自体の計量化を図る場合であっても、シリンダーの供回りを起こすことなしに押圧ヘッドを確実に使用可能な状態に保持できるポンプ式液体吐出器を提案するところにある。
【課題を解決するための手段】
【０００８】
本発明は、容器本体の口頚部外周に係合可能なベースキャップと、該口頚部を通して容器本体の内側に吊り下げられ該ベースキャップにて該口頚部に固定保持されるポンプと、該ポンプの中空ステムにつながり該中空ステムを繰り返し上下動させることにより該ポンプを作動させて容器本体内の内容物を吐出させる押圧ヘッドとを備えたポンプ式液体吐出器であって、
前記ポンプは、シリンダーの外周壁に、該容器本体の口頚部の内周壁に対して先端部を当接させて該シリンダーの、時計周りおよび反時計周りの少なくとも一方向への回転を防止する１枚若しくは複数枚の回転防止片を有することを特徴とするポンプ式液体吐出器である。
【０００９】
上記の構成からなるポンプ式液体吐出器においては、
１）ポンプは、外周壁にねじ部が形成され、かつシリンダーの上端部に回動不能に連結するリングキャップを有しており、押圧ヘッドは、該リングキャップのねじ部に係合して該押圧ヘッドの下降姿勢をそのまま維持するねじ部を有すること、
２）回転防止片は、前記口頚部の内周壁に弾性的に接触してその相互間の摩擦抵抗を増大させる弾性体からなること、
３）回転防止片は、前記シリンダーの外周壁から前記口頚部の内周壁に至るまでの間に形成される隙間よりも大きな張出長さを有し、該シリンダーの外周壁の周りに沿う倒れ込み姿勢を維持してその先端部分が該口頚部の内周壁に接触するものであること、
４）口頚部の内周壁に、前記回転防止片の先端が嵌り込む溝または、該回転防止片の先端が当接する突起を形成してなること、
が本発明の課題解決のための具体的手段として好ましい。
【発明の効果】
【００１０】
上記の構成からなる本発明のポンプ式液体吐出器によれば、ポンプを構成するシリンダーの外周壁に、該容器本体の口頚部の内周壁に先端部が当接する１枚若しくは複数枚の回転防止片を設けるようにしたため、押圧ヘッドを回転させてリングキャップとの係合を解除するとき、該回シリンダーが簡単に供回りすることはなく、押圧ヘッドを確実に上昇姿勢に保持することができる。
【００１１】
また、上記の構成からなる本発明のポンプ式液体吐出器によれば、ポンプに、外周壁にねじ部が形成され、かつシリンダーの上端部に回動不能に連結するリングキャップを設け、押圧ヘッドに、該リングキャップのねじ部に係合して該押圧ヘッドの下降姿勢をそのまま維持するねじ部を設けるようにしたため、商品の流通段階で、押圧ヘッドが押し込まれて内容物が流出することはない。
【００１２】
また、本発明のポンプ式液体吐出器によれば、回転防止片を、口頚部の内周壁に弾性的に接触させてその相互間の摩擦抵抗を高める弾性体にて構成するようにしたため、例えば、容器の製造過程（ブロー成形）で口頚部の径に多少のばらつきが生じたとしても回転防止片を口頚部の内周壁に確実に当接させることができる。
【００１３】
また、本発明のポンプ式液体吐出器によれば、回転防止片を、シリンダーの外周壁から口頚部の内周壁に至るまでの間に形成される隙間よりも大きな張出長さを有するものとし、該シリンダーの外周壁の周りに沿う倒れ込み姿勢を維持してその先端部を該口頚部の内周壁に当接（接触）させるようにしたため、シリンダーの一方向への回転（押圧ヘッドの、リングキャップに対する係合を解除する向きへの回転（反時計周りの回転））を確実に防止することができる。この場合、押圧ヘッドを時計周りに回転させてリングキャップに係合させようとしてもポンプのシリンダーは供回りしやすくなり、押圧ヘッドの、リングキャップへの係合が簡単に行えなくなることから商品の流通過程で不正な開封が行われたかどうか判別しやすくなる。
【００１４】
さらに本発明のポンプ式液体吐出器によれば、口頚部の内周壁に、回転防止片の先端が嵌り込む溝または、該回転防止片の先端が当接する突起を形成するようにしたため、押圧ヘッドを回転させてリングキャップとの係合を解除するとき、シリンダーの供回りを確実に防止することができる。
【図面の簡単な説明】
【００１５】
【図１】本発明に従うポンプ式液体吐出器の実施の形態を模式的に示した図である（押圧ヘッドが下降状態にある場合）。
【図２】図１のＡ−Ａ断面を示した図である。
【図３】図１に示したポンプ式液体吐出器について、押圧ヘッドを上昇姿勢に保持した状態を示した図（使用可能状態）である。
【図４】（ａ）（ｂ）は、回転防止片の先端部を拡大して示した図であり、（ａ）は回転防止片の先端部が嵌まる溝を設けた図であり、（ｂ）は、回転防止片の先端部が突き当たる突起を設けた図である。
【発明を実施するための形態】
【００１６】
以下、図面を用いて本発明をより具体的に説明する。
図１は、本発明に従うポンプ式液体吐出器の実施の形態をその側面（中心線を境にして右側半分を断面表示）について模式的に示した図であり、図２は図１のＡ−Ａ断面（ベースキャップの断面は省略）を示した図であり、また、図３は押圧ヘッドを上昇姿勢に保持した状態（使用開始可能状態）を示した図である。
【００１７】
なお、本発明に従うポンプ式液体吐出器は、合成樹脂を素材として用いることが可能であり、例えば、押圧ヘッド、オーバーキャップ、ポンプの構成部材等については射出成形法を適用して製造することができ、また、容器本体についてはブロー成形法（押出ブロー成形法、２軸延伸ブロー成形法等）を適用して製造することができるが、それらの材質および成形方法についてはとくに限定されない。
【００１８】
図１〜３における符号１は、内容物を充填する容器本体（容器本体の下部については図示を省略）である。この容器本体１は、ここではボトル状のものを例として示してあり、その頂部には、外周面にねじ部が形成された筒状の口頚部１ａが設けられている。
【００１９】
また、２は、容器本体１の口頚部１ａの外周面に係合可能なベースキャップである。このベースキャップ２は、中央部に容器本体１の内部空間につながる貫通開口２ａを有する天板２ｂと、この天板２ｂの外縁部に一体連結して垂下する周壁２ｃからなっており、周壁２ｃの内側に設けられたねじ部を口頚部１ａの外周面のねじ部に係合させることによってベースキャップ２を容器本体１の口頚部１ａに固定できるようになっている。
【００２０】
また、３は、口頚部１ａを通して容器本体１の内側に吊り下げられ、該ベースキャップ２にて口頚部１ａに固定保持されたポンプである。このポンプ３は、内容物の吸引、加圧空間を形成するシリンダー３ａと、このシリンダー３ａの内側に配置され、その内壁面に沿って上下にスライド可能な環状のピストン３ｂと、このピストン３ｂとともに上下に移動可能でその上部がシリンダー３ａ、ベースキャップ２の上方において突出する中空ステム３ｃと、この中空ステム３ｃをシリンダー３ａ内で上向きの反発力でもって弾性支持し後述する押圧ヘッドを上昇姿勢に保持するスプリング３ｄと、シリンダー３ａ内に配置され、内容物の吸引時にのみ吸引口ｈを開放する弁部材（吸込弁）３ｅと、中空ステム３ｃの下端に設けられピストン３ｂを中空ステム３ｃにおいて抜け止め保持するピストンガイド３ｆから構成されている。
【００２１】
上記弁部材３ｅは、吸引口ｈに配置される弁体（３点弁等）３ｅ１と、この弁体３ｅ１をその下端で弾性的に支持する本体部３ｅ２からなり、本体部３ｅ２の上端面で中空ステム３ｃの下方への移動を規制し、下部外縁部の上面でスプリング３ｄの座部を形成している。そしてその周壁には開口部が設けられていてシリンダー３ａ内に吸引された内容物の流通を可能としている。
【００２２】
中空ステム３ｃは、シリンダー３ａ内にて加圧、圧縮された内容物を流通させる送給経路を有しており、該中空ステム３ｃを上下に移動させることによってピストン３ｂをシリンダー３ａ内でスライド（昇降移動）させることができるようになっている。
【００２３】
中空ステム３ｃを上方に向けて移動させるとピストン３ｂは中空ステム３ｃとともに上方にスライドし容器本体１内の内容物はシリンダー３ａの吸引口ｈにつながるパイプＳを通してシリンダー３ａ内に吸引される。また、中空ステム３ｃを下方に向けて移動させるとピストン３ｂは中空ステム３ｃとともに下方にスライドしていきシリンダー３ａ内の内容物は加圧、圧縮される。ピストン３ｂは、内筒、外筒およびその両方をつなぐ連結壁とからなる二重円筒状に形成されており、該内筒の上端部が中空ステム３ｃの後述する環状体３ｃ１の内面に摺動する。
【００２４】
ここに、中空ステム３ｃに設けられたピストンガイド３ｆとしては、中空ステム３ｃの下端開口に嵌合するもの等を適用することが可能（図示のものに限定されることはなく、中空ステム３ｃに一体連結するものを適用してもよい）であり、その上面にはピストン３ｂの下端部に当接可能な座部３ｆ１を有している。また、中空ステム３ｃは、下部外周壁にピストン３ｂの連結壁に下端部が当接可能な環状体３ｃ１を有しており、このピストンガイド３ｆの座部３ｆ１から環状体３ｃ１の下端部に至るまで間でピストン３ｂが上下動できるように保持されている。
【００２５】
そして、中空ステム３ｃが下方に向けて移動したとき中空ステム３ｃの環状体３ｃ１の下端部がピストン３ｂの連結壁に当接した状態ではシリンダー３ａと中空ステム３ｃの送給経路をつなぐ開口（中空ステム３ｃの周壁に設けられた開口）３ｃ２が連通してシリンダー３ａ内の内容物が中空ステム３ｃの送給経路に向けて流出させる。一方、中空ステム３ｃが上方に向けて移動するとピストンガイド３ｆの座部３ｆ１がピストン３ｂの下端に当接することによりシリンダー３ａと中空ステム３の送給経路との連通状態を遮断すべく該開口３ｃ２を閉塞する。
【００２６】
また、４は、シリンダー３ａの上部外周壁に設けられたフランジである。このフランジ４は径方向外側に向けて張り出しており、容器本体１の口頚部１ａの突端部に位置せしめ、ベースキャップ２の天板２ｂにてパッキンの如きシール部材とともに挟持することによってポンプ３を容器本体１の口頚部１ａに固定保持する。
【００２７】
また、５は、中空ステム３ｃを上下動させる押圧ヘッドである。この押圧ヘッド５は、その下面に中空ステム３ｃの上端、すなわち、シリンダー３ａ、ベースキャップ２の上部において突出する部位にて嵌合する筒体５ａを有しており、中空ステム３ｃの送給経路を通して流出した内容物を該筒体５ａの内部通路５ｂを通して先端ノズル５ｃから吐出させることができるようになっている。また、押圧ヘッド５には、内周面にねじ部を有し筒体５ａを取り囲むように垂下保持された筒体５ｄも設けられている。
【００２８】
６は、下向きに開放された溝部をシリンダー３ａの上端部に回動不能、かつ引き抜け不能に嵌合させてベースキャップ２の上面において起立するリングキャップである。このリングキャップ６は、ポンプ３の中空ステム３ｃを挿通させる貫通孔を有するものであり、その上部外周面には、押圧ヘッドの筒体５ｄに設けられたねじ部に係合可能なねじ部が形成されている。
【００２９】
押圧ヘッド５の筒体５ｄに形成されたねじ部をリングキャップ６のねじ部に係合させることにより押圧ヘッド５は図１に示すように下降姿勢（押込み状態）に維持され、商品の流通過程で懸念される不具合、すなわち押圧ヘッド５の不用意な押込みを防止して内容物の流出を回避している。
【００３０】
また、７は、中空ステム３ｃを取り囲むとともにシリンダー３ａの上部でその内壁面に沿って摺動可能な環状のシール部材である。このシール部材７は、押圧ヘッド５の押し込みに際してその下面に設けられた突端５ｅに上端が当接して押し下げられ、該押圧ヘッド５が上昇するときピストン３ｂの外筒上端に当接して押し上げられるものである。
【００３１】
シール部材７が押し下げられた状態では、このシール部材７によってシリンダー３ａの外気導入孔３ａ１は閉じられており（図１参照）、その部位からの塵や水の侵入を防止するとともに商品の流通過程で容器本体１が横倒になったとしても外気導入孔３ａ１からの内容物の流出を防止する。一方、押圧ヘッド５が上昇してシール部材７が押し上げられると、外気導入孔３ａ１は開放されて容器本体１内に外気が導入されることになり、内容物を注出する際の容器本体１内の負圧化を防止している。また、このシール部材７は、押下げられた状態、押し上げられた状態のいずれにおいてもリングキャップ６の上端からの水分等の侵入をも防止するようになっている。
【００３２】
８は、シリンダー３ａの外周壁に設けられた回転防止片（縦状のリブ等）である。この回転防止片８は、図２に示すように、その先端部が容器本体１の口頚部１ａの内周壁に当接するものであって、押圧ヘッド５を回転（平面視において押圧ヘッド５を反時計周りへの回転）させてリングキャップ６との係合を解除して該押圧ヘッド５を上昇姿勢に保持するときシリンダー３ａの供回りを防止する。
【００３３】
回転防止片８は、シリンダー３ａの外周壁から口頚部１ａの内周壁に至るまでの間に形成される隙間よりも大きな張出長さを有し、シリンダー３ａの周壁の周りに沿う倒れ込み姿勢を維持してその先端部が口頚部１ａの内周壁に接触するものが好適であり（図２参照）、とくに、回転防止片８を弾性体にて構成することによって当接部位の相互において摩擦抵抗を高めることができるとともに、容器の製造過程（ブロー成形）で口頚部１ａの径に多少のばらつきが生じたとしても回転防止片８の先端を確実に口頚部１ａの内周壁に当接させることが可能となる。
【００３４】
回転防止片８をシリンダー３ａの周壁の周りに沿う倒れ込み姿勢に維持するに当たっては、回転防止片８を、その先端が反時計周りの方向（リングキャップ６との係合を解除する際に押圧ヘッド５を回転させる向き）に向けるようにしておくのがよく、これにより、回転防止片８の先端が口頚部１ａの内周壁に突き当たりラチェットの爪の如く作用させることが可能となり、シリンダー３ａの回転（供回り）を確実に防止することができる。なお、このような倒れ込み姿勢に維持された回転防止片８を適用する場合においては、リングキャップ６との係合を一旦解除して再び該リングキャップ６との係合を図るべく押圧ヘッド５を回転させてもシリンダー３ａの供回りが許容されることになるので、商品の流通過程での不正な開封があったかどうか把握できる利点がある。
【００３５】
シリンダー３ａの供回りの防止をより一層確実にするため、口頚部１ａの内周壁には、図４（ａ）（ｂ）に示すように、回転防止片８の先端が嵌り込む溝９あるいは該回転防止片８の先端が当接する突起１０を設けてもよい。
【００３６】
回転防止片８は、予め倒れ込み姿勢に保持されたものを適用することができるが、放射状に伸びる縦リブ（板状片）としておき、ポンプ３を容器本体１の口頚部１ａに組み付ける際に、該板片を湾曲せしめて倒れ込み姿勢に保持するのがよく、この場合、回転防止片８の反発力が高まり、口頚部１ａの内周壁との相互間における摩擦力を増大させることができる利点がある。なお、回転防止片８は、径方向に延びる板状体や、凹凸部で形成してもよい。
【産業上の利用可能性】
【００３７】
本発明によれば、ポンプを構成するシリンダーの供回りを防止して押圧ヘッドを上昇姿勢に確実に保持し得るポンプ式液体吐出器が提供できる。
【符号の説明】
【００３８】
１      容器本体
１ａ    口頚部
２      ベースキャップ
２ａ    貫通開口
２ｂ    天板
２ｃ    周壁
３      ポンプ
３ａ    シリンダー
３ｂ    ピストン
３ｃ    中空ステム
３ｄ    スプリング
３ｅ    弁部材
３ｆ    ピストンガイド
４      フランジ
５      押圧ヘッド
５ａ    筒体
５ｂ    内部通路
５ｃ    先端ノズル
５ｄ    筒体
５ｅ    突端
６      リングキャップ
７      シール部材
８      回転防止片
９      溝
１０    突起
【図１】
2015085989.tif 000003
【図２】
2015085989.tif 000004
【図３】
2015085989.tif 000005
【図４】
2015085989.tif 000006